(57)【特許請求の範囲】
【請求項１】
蓋面を開放した直方体状の紙箱において、後面板４の上辺に、蓋面板５と前面貼着片６とを、切れ目線ａと折り目線ｂとを介して順に連設して、この蓋面板５に、また１部は前面貼着片６に、適宜形状の表示板１０を、指掛け孔ｃ付の切れ目線ｄで区画して設け、前記表示板１０は開蓋後に折り目線ｂを伸ばして折立てることができることを特徴とする表示板付の紙箱。
【請求項２】
請求項１に記載の表示板付の紙箱において、左右の側面板７，７の上辺に、折込み片８，８を、それぞれ切れ目線ｅを介して連設したことを特徴とする表示板付の紙箱。
【発明の詳細な説明】
【０００１】
【発明の属する技術分野】
本発明は、袋入や小箱入のスナック菓子や食品類などを幅広く収容する、板紙製や段ボール紙製などの、簡単に表示板１０を形成することができる、店頭での展示販売効果が優れた表示板付の紙箱に関する。
【０００２】
【従来の技術】
従来から、袋入や小箱入のスナック菓子や食品類などを幅広く収容する、板紙製や段ボール紙製などの、図４Ａに示すような、後面板４の上辺に、蓋面板５と表示板１０を兼ねた前面貼着片６とを連設した、蓋面板５を開蓋して、前面貼着片６を後面板４の内側に差込むだけで、簡単に表示板１０を形成することができる、店頭展示販売用の表示板付の紙箱が、一般に広く用いられている。
【０００３】
また従来から、同様に袋入や小箱入のスナック菓子や食品類などを幅広く収容する、板紙製や段ボール紙製などの、図４Ｂに示すような、後面板４の上辺に、表示板１０を折り目線と切れ目線とで区画して設けた蓋面板５と前面差込み片６とを連設した、蓋面板５を開蓋して２つ折りして、前面差込み片６を後面板４の内側に差込むだけで、簡単に半円状などの表示板１０を形成することができる、店頭展示販売用の表示板付の紙箱が、同様に広く用いられている。
【０００４】
【発明が解決しようとする課題】
ところが従来の、図４Ａ ,Ｂに示すような、店頭展示販売用の表示板付の紙箱については、蓋面板５を開蓋して、前面貼着片６又は前面差込み片６を後面板４の内側に差込むだけで、簡単に表示板１０を形成することができるものの、店頭では、顧客の目線より下に商品を展示することが多いために、紙箱の後面側に垂直に形成した図４Ａ ,Ｂに示す表示板１０が、顧客の目線に強くアピールしないなどの、店頭での迫力がある展示販売効果が期待できなかった。
【０００５】
ところで、本発明の目的は、袋入や小箱入のスナック菓子や食品類などを幅広く収容する、板紙製や段ボール紙製などの、簡単に紙箱の前面側に、顧客の目線に合致した表示板１０を形成することができる、店頭での展示販売効果が優れた表示板付の紙箱を提供することにある。
【０００６】
【課題を解決するための手段】
本発明の表示板付の紙箱は、図１，図２に示すように、蓋面を開放した直方体状の紙箱において、後面板４の上辺に、蓋面板５と前面貼着片６とを、切れ目線ａと折り目線ｂとを介して順に連設して、この蓋面板５に、また１部は前面貼着片６に、適宜形状の表示板１０（図１，図２では左右の三角形状の表示板１０，１０）を、指掛け孔ｃ付の切れ目線ｄで区画して設け、前記表示板１０は開蓋後に折り目線ｂを伸ばして折立てることができることを特徴とする表示板付の紙箱である。
【０００７】
すなわち、本発明の表示板付の紙箱においては、図２Ａに示すように、袋入や小箱入のスナック菓子や食品類などの幅広い商品を収容して、前面板２の外側に前面貼着片６を貼着した後に、店頭などで、まず図２Ｂに示すように、指掛け孔ｃに指を掛けて、切れ目線ｄを切断して蓋面板５を開蓋して、続いて図２Ｃに示すように、切れ目線ａを切断して蓋面板５を除去して、残された表示板１０を、折り目線ｂを伸ばして折立てるだけで、簡単に紙箱の前面側に表示板１０を形成することができる、しかも、店頭で顧客の目線より下に商品を展示した時などに、この折り目線ｂに折り癖が残っているために、折立てた表示板１０が少し後方に傾斜した、顧客の目線に合致した表示板１０を形成することができる、店頭での展示販売効果が優れた表示板付の紙箱を提供することができる。
【０００８】
加えて、本発明の表示板付の紙箱は、図１ ,図２Ｂに示すように、前述した表示板付の紙箱において、左右の側面板７ ,７の上辺に、折込み片８ ,８を、それぞれ切れ目線ｅを介して連設したことを特徴とする表示板付の紙箱である。
【０００９】
すなわち、本発明の表示板付の紙箱においては、図２Ｃに示すように、切れ目線ｅ ,ｅを切断して折込み片８ ,８を除去して、より多く露出した商品を顧客の目線にアピールすることができる、店頭での展示販売効果がさらに優れた表示板付の紙箱を提供することができる。
【００１０】
【発明の実施の形態】
本発明の表示板付の紙箱における、蓋面板５に、また１部は前面貼着片６に、指掛け孔ｃ付の切れ目線ｄで区画して設けた、適宜形状の表示板１０については、後述する実施例の、図１ ,図２に示す左右の三角形状の表示板１０ ,１０に限るものではなくて、例えば図３Ａに示す左右を延長した兎の耳状などの、また図３Ｂに示す半円状や図３Ｃに示すカード状などの、収容する商品や紙箱の印刷デザインなどに適合した、適宜形状の表示板１０を設けて、店頭での広告宣伝効果などを演出することができる。
【００１１】
また、本発明の表示板付の紙箱については、後述する実施例に示すように、通常の印刷をした適宜の板紙や段ボール紙などを用いて、通常の打抜型を用いた打抜工程で、無駄が少ない長方形状の表示板付の紙箱のブランクを作製して、通常の機械的な製箱工程で、左右の側面板７ ,７と糊代片９ ,９ ,９ ,９とを貼着するなどして、蓋面を開放した直方体状に製箱することができる、工程が簡単で作製費用が廉価な表示板付の紙箱を提供することができる。
【００１２】
【実施例】
図１は、本発明の実施例における、表示板付の紙箱のブランクの平面図である。
また図２Ａは、本発明の実施例における、表示板付の紙箱の斜視図であって、図２Ｂ ,Ｃは、表示板付の紙箱の、開蓋した状態と表示板１０を形成した状態とを示す斜視図である。
【００１３】
すなわち、前面板２と底面板３と後面板４と蓋面板５と前面貼着片６とを、２本の折り目線( 符号がない１点鎖線、以下同じ )と切れ目線ａと折り目線ｂとを介して順に連設して、また底面板３の左右辺に、左右の側面板７ ,７と折込み片８ ,８とを、それぞれ折り目線と切れ目線ｅとを介して順に連設して、さらに前面板２と後面板４との左右辺に、糊代片９ ,９ ,９ ,９を、それぞれ折り目線を介して連設して、この蓋面板５と前面貼着片６とに、左右の三角形状の表示板１０ ,１０を、指掛け孔ｃ付の切れ目線ｄで区画して設けた、図１に示す表示板付の紙箱のブランクであって、通常の印刷をした３１０ｇ／ｍ２  の裏白コートボール紙を用いて、通常の打抜型を用いた打抜工程で、無駄が少ない長方形状の表示板付の紙箱のブランクを作製した。
【００１４】
次に、図１に示す表示板付の紙箱のブランクの、全ての符号がない１点鎖線で示す折り目線と折り目線ｂと切れ目線ａ ,ｅ ,ｅとを山折りして、通常の機械的な製箱工程で、左右の側面板７ ,７と糊代片９ ,９ ,９ ,９とを貼着して、縦と横と高さとが１２５×１０８×３６ｍｍの、蓋面を開放した直方体状に製箱した後に、袋入のスティックタイプのソフトキャンデーの１０袋を収容して、蓋面板５を被せて前面板２の外側に前面貼着片６を貼着して、図２Ａに示す表示板付の紙箱を作製した。
【００１５】
本発明の実施例における、図２Ａに示す表示板付の紙箱においては、店頭などで、まず図２Ｂに示すように、指掛け孔ｃに指を掛けて、切れ目線ｄを切断して蓋面板５を開蓋して、続いて図２Ｃに示すように、切れ目線ａを切断して蓋面板５を除去して、また切れ目線ｅ ,ｅを切断して折込み片８ ,８を除去して、残された表示板１０ ,１０を、折り目線ｂ ,ｂを伸ばして折立てるだけで、簡単に紙箱の前面側に左右の三角形状の表示板１０ ,１０を形成することができる、しかも、店頭で顧客の目線より下に商品を展示した時などに、この折り目線ｂ ,ｂに折り癖が残っているために、折立てた表示板１０ ,１０が少し後方に傾斜した、顧客の目線に合致した左右の三角形状の表示板１０ ,１０を形成することができる、加えて、切れ目線ｅ ,ｅを切断して折込み片８ ,８を除去したために、また中央部が凹んだ左右の三角形状の表示板１０ ,１０であるために、より多く露出した袋入のソフトキャンデーを顧客の目線にアピールすることができる、店頭での展示販売効果が優れた表示板付の紙箱を得ることができた。
【００１６】
【発明の効果】
以上、実施例ほかに示すとおり、本発明の表示板付の紙箱においては、袋入や小箱入のスナック菓子や食品類などを幅広く収容する、板紙製や段ボール紙製などの、簡単に紙箱の前面側に、顧客の目線に合致した表示板１０を形成することができる、店頭での展示販売効果が優れた表示板付の紙箱を提供することができる。
【図面の簡単な説明】
【図１】本発明の実施例における、表示板付の紙箱のブランクの平面図である。
【図２】本発明の実施例における、図２Ａは、表示板付の紙箱の斜視図であって、図２Ｂ ,Ｃは、表示板付の紙箱の、開蓋した状態と表示板１０を形成した状態とを示す斜視図である。
【図３】実施の形態の表示板付の紙箱における、図３Ａ ,Ｂ ,Ｃは、他の適宜形状の表示板１０を示す部分平面図である。
【図４】図４Ａ ,Ｂは、従来の表示板付の紙箱の斜視図である。
【符号の説明】
２          …前面板
３          …底面板
４          …後面板
５          …蓋面板
６          …前面貼着片 ,前面差込み片
７          …左右の側面板
８          …折込み片
９          …糊代片
１０        …表示板
ａ ,ｄ ,ｅ  …切れ目線
ｂ          …折り目線
ｃ          …指掛け孔
【図１】
0004701495.tif 000002
【図２】
0004701495.tif 000003
【図３】
0004701495.tif 000004
【図４】
0004701495.tif 000005